(57)【要約】      （修正有）【課題】運搬や収納が容易な造形ヨガパッドを提供する。【解決手段】第一端部Ｓ１と第二端部Ｓ２があり、第一円弧Ｃ１から構成される第一端部輪郭を有する第一端部Ｓ１から、延伸方向に沿って、第二円弧Ｃ２から構成される第二端部輪郭を有する第二端部Ｓ２までに延伸し、また、腰部Ｓ３がある造形ヨガパッド１であって、腰部Ｓ３の二つの腰部辺縁輪郭が、第三円弧Ｃ３と第四円弧Ｃ４とから構成され、第一円弧Ｃ１と第二円弧Ｃ２が、夫々、第三円弧Ｃ３と第四円弧Ｃ４とに連結され、その中、第一円弧Ｃ１の第一円心Ｏ１と第二円弧Ｃ２の第二円心Ｏ２が、造形ヨガパッド１の上に位置し、また、第三円弧Ｃ３の第三円心Ｏ３と第四円弧Ｃ４の第四円心Ｏ４が、造形ヨガパッド１の外に位置する。【選択図】図３
0003233130.tif 000002
【実用新案登録請求の範囲】
【請求項１】
第一端部と第二端部があり、第一円弧から構成される第一端部輪郭を有する第一端部から、延伸方向に沿って、第二円弧から構成される第二端部輪郭を有する第二端部までに延伸し、また、腰部がある造形ヨガパッドであって、
当該腰部の二つの腰部辺縁輪郭が、第三円弧と第四円弧とから構成され、第一円弧と第二円弧が、夫々、第三円弧と第四円弧とに連結され、その中、第一円弧の第一円心と第二円弧の第二円心が、当該造形ヨガパッドの上に位置し、また、第三円弧の第三円心と第四円弧の第四円心が、当該造形ヨガパッドの外に位置する、
ことを特徴とする、造形ヨガパッド。
【請求項２】
その中、当該第一円弧の第一円弧半径と当該第二円弧の第二円弧半径は、２０乃至２５センチメートルの範囲内にある、ことを特徴とする、請求項１に記載の造形ヨガパッド。
【請求項３】
その中、当該第一円弧半径は、当該第二円弧半径に等しい、ことを特徴とする、請求項２に記載の造形ヨガパッド。
【請求項４】
その中、当該第一円心と当該第二円心とのリンクラインは、第一基準線を形成し、また、当該造形ヨガパッドは、当該第一基準線に対して対称である、ことを特徴とする、請求項１に記載の造形ヨガパッド。
【請求項５】
その中、当該第三円心と当該第四円心とのリンクラインは、第二基準線を形成し、また、当該造形ヨガパッドは、当該第二基準線に対して対称である、ことを特徴とする、請求項１に記載の造形ヨガパッド。
【請求項６】
更に、パッド体長辺を有し、また、当該パッド体長辺は、５５乃至６５センチメートルの範囲内にある、ことを特徴とする、請求項１に記載の造形ヨガパッド。
【請求項７】
更に、パッド体厚さを有し、また、当該パッド体厚さは、１乃至５０ミリメートルの範囲内にある、ことを特徴とする、請求項１に記載の造形ヨガパッド。
【考案の詳細な説明】
【技術分野】
【０００１】
本考案は、ヨガパッドに関し、特に、造形ヨガパッドに関する。
【背景技術】
【０００２】
近年、スポーツ文化が盛んであるため、スポーツに関する服装や付属品及び用品も、ともに盛んになり、２０１４年から、ヨガパンツの年売上高が、はじめに、ブルージーンズの年売上高より高くなり、また、ヨガ教室やジムの数が日々に増加していることからも分かるように、今の人々はスポーツをより重視している。
【０００３】
盛んになるスポーツにおいて、ヨガは、その中の重要なスポーツである。利用者がヨガスポーツを行うとき、より安心に、かつ、より安全に各種類の姿勢を実行できるようにするため、寛大なヨガパンツや、利用者を保護するヨガパッド及び、多様にヨガ姿勢を行うことができるヨガボールは、ヨガスポーツを行うときの重要な付属品になる。
【０００４】
図１は、背景技術のヨガパッドの立体概念図である。図のように、ヨガパッドＰＡ１には、長辺ＰＡＬと短辺ＰＡＷとがある。ヨガパッドＰＡ１は、二種類の国際標準サイズがあり、長辺ＰＡＬは、１７３センチメートルや１８３センチメートルであり、短辺ＰＡＷは、ともに、６１センチメートルである。しかしながら、ヨガパッドＰＡ１のサイズと形状のために、直接に携帯や収納が容易ではなく、利用者らにとっては、一般として、運びや収納のために、ヨガパッドＰＡ１を折り畳んで、或いは、巻き取る。また、ヨガパッドＰＡ１を巻き取った後、それを、縛ることや、特定の収納袋に収納することにより、より比較小さい体積に維持でき、そうでなければ、ヨガパッドＰＡ１自身の弾力や回復力によって、体積が膨らんで、収納するために、大きい空間を必要とする。そのため、背景技術のヨガパッドＰＡ１は、実用的とはいえず、改善を要する空間がある。
【考案の概要】
【考案が解決しようとする課題】
【０００５】
本考案の主の目的は、背景技術のヨガパッドのサイズと形状による運びや収納の課題を解消するため、背景技術の少なくとも一つの課題を解消できる造形ヨガパッドを提供する。
【課題を解決するための手段】
【０００６】
本考案は、背景技術の課題を解消するため、造形ヨガパッドを提供し、当該造形ヨガパッドには、第一端部と第二端部があり、第一円弧から構成される第一端部輪郭を有する第一端部から、延伸方向に沿って、第二円弧から構成される第二端部輪郭を有する第二端部までに延伸し、また、腰部があり、当該腰部の二つの腰部辺縁輪郭が、第三円弧と第四円弧とから構成され、第一円弧と第二円弧が、夫々、第三円弧と第四円弧とに連結され、その中、第一円弧の第一円心と第二円弧の第二円心が、造形ヨガパッドの上に位置し、また、第三円弧の第三円心と第四円弧の第四円心が、造形ヨガパッドの外に位置する。
【０００７】
上記の技術手段の下で、本考案の付属技術手段は、造形ヨガパッドの第一円弧の第一円弧半径と第二円弧の第二円弧半径が、２０乃至２５センチメートルの範囲内にある。
【０００８】
上記の技術手段の下で、本考案の付属技術手段は、造形ヨガパッドの第一円弧半径が、第二円弧半径に等しい。
【０００９】
上記の技術手段の下で、本考案の付属技術手段は、造形ヨガパッドの第一円心と第二円心とのリンクラインが、第一基準線を形成し、また、造形ヨガパッドが、第一基準線に対して対称である。
【００１０】
上記の技術手段の下で、本考案の付属技術手段は、造形ヨガパッドの第三円心と第四円心とのリンクラインが、第二基準線を形成し、また、造形ヨガパッドが、第二基準線に対して対称である。
【００１１】
上記の技術手段の下で、本考案の付属技術手段は、造形ヨガパッドが、更に、パッド体長辺を有し、パッド体長辺が、５５乃至６５センチメートルの範囲内にある。
【００１２】
上記の技術手段の下で、本考案の付属技術手段は、造形ヨガパッドが、更に、パッド体厚さを有し、パッド体厚さが、１乃至５０ミリメートルの範囲内にある。
【００１３】
以上のように、本考案に係る造形ヨガパッドは、第一円弧や第二円弧、第三円弧及び第四円弧によって形成された第一端部輪郭や第二端部輪郭及び腰部輪郭が、背景技術に比較すると、体積や表面積が低減されて、背景技術の容易でない運びや収納等の課題を解消できる。
【００１４】
本考案に使用される具体的な実施形態は、以下の実施形態および図面によってさらに説明される。
【図面の簡単な説明】
【００１５】
【図１】背景技術のヨガパッドの立体概念図である。
【図２】本考案に係るより良い実施例の造形ヨガパッドの立体図である。
【図３】本考案に係るより良い実施例の造形ヨガパッドの上面図である。
【図４】本考案に係るより良い実施例の造形ヨガパッドに合わせて、他のヨガパッドを利用するときの立体図である。
【図５】本考案に係るより良い実施例の造形ヨガパッドの使用状態概念図である。
【図６】本考案に係るより良い実施例の造形ヨガパッドの使用状態概念図である。
【図７】本考案に係るより良い実施例の造形ヨガパッドの使用状態概念図である。
【図８】本考案に係るより良い実施例の造形ヨガパッドの使用状態概念図である。
【考案を実施するための形態】
【００１６】
以下、概念図を参照して、本考案の具体的な実施方式を、詳しく説明する。下記の説明や実用新案登録請求の範囲によって、本考案の利点と特徴が、より簡単に分かるようになる。しかしながら、図は、本考案の実施例を便利に説明するものであり、簡略化されて、正確な寸法ではない。
【００１７】
図２と図３を参照しながら、図２は、本考案に係るより良い実施例の造形ヨガパッドの立体図であり、図３は、本考案に係るより良い実施例の造形ヨガパッドの上面図である。図のように、造形ヨガパッド１は、第一端部Ｓ１から、延伸方向Ｄに沿って、第二端部Ｓ２までに延伸し、パッド体長辺Ｌとパッド体厚さＴとがある。
【００１８】
本考案によれば、パッド体長辺Ｌが、５５乃至６５センチメートルの範囲内にあり、パッド体厚さＴが、１乃至５０ミリメートルの範囲内にある。その中、パッド体長辺Ｌが、遥かに、背景技術のヨガパッドＰＡ１の長辺ＰＡＬより短い。これにより、造形ヨガパッド１は、背景技術のヨガパッドＰＡ１の運びと収納の課題を解消できる。
【００１９】
具体的に言えば、造形ヨガパッド１は、第一端部Ｓ１において、第一端部輪郭があり、第二端部Ｓ２において、第二端部輪郭がある。また、造形ヨガパッド１は、更に、腰部Ｓ３を有し、腰部Ｓ３には、二つの腰部辺縁輪郭がある。
【００２０】
第一端部輪郭は、第一円弧Ｃ１から構成され、その中、第一円弧Ｃ１は、第一円心Ｏ１と第一円弧半径Ｒ１がある。第二端部輪郭は、第二円弧Ｃ２から構成され、その中、第二円弧Ｃ２は、第二円心Ｏ２と第二円弧半径Ｒ２がある。二つの腰部辺縁輪郭は、夫々、第三円弧Ｃ３と第四円弧Ｃ４から構成され、その中、第三円弧Ｃ３は、第三円心Ｏ３と第三円弧半径Ｒ３があり、第四円弧Ｃ４は、第四円心Ｏ４と第四円弧半径Ｒ４がある。
【００２１】
図のように、第一円弧Ｃ１は、両端が、夫々、第三円弧Ｃ３と第四円弧Ｃ４に連結され、第二円弧Ｃ２は、第一円弧Ｃ１に相対的に、両端が、夫々、第三円弧Ｃ３と第四円弧Ｃ４に連結され、これにより、造形ヨガパッド１の全体輪郭が形成される。
【００２２】
第一円心Ｏ１と第二円心Ｏ２は、造形ヨガパッド１の上に位置し、第三円心Ｏ３と第四円心Ｏ４は、造形ヨガパッド１の外に位置する。即ち、第一端部輪郭と第二端部輪郭とは、造形ヨガパッド１から外へ突出した円弧のようであり、腰部辺縁輪郭は、造形ヨガパッド１へ凹む円弧のようである。これにより、造形ヨガパッド１全体の輪郭は、横になった８の字或いはピーナッツの形状になる。
【００２３】
第一円弧半径Ｒ１と第二円弧半径Ｒ２は、２０乃至２５センチメートルの範囲内にある。より良いものは、第一円弧半径Ｒ１が、第二円弧半径Ｒ２に等しく、また、第三円弧半径Ｒ３が、第四円弧半径Ｒ４に等しくなる。
【００２４】
第一円心Ｏ１と第二円心Ｏ２のリンクラインによって、第一基準線Ｌ１が形成され、第三円心Ｏ３と第四円心Ｏ４のリンクラインによって、第二基準線Ｌ２が形成される。本実施例において、造形ヨガパッド１は、第一基準線Ｌ１に対して対称であり、また、第二基準線Ｌ２に対しても対称であるが、それによって制限されない。
【００２５】
最後に、図２乃至図８を参照しながら、図４は、本考案に係るより良い実施例の造形ヨガパッドに合わせて、他のヨガパッドを利用するときの立体図である。また、図５乃至図８は、本考案に係るより良い実施例の造形ヨガパッドの使用状態概念図である。図のように、造形ヨガパッド１に、第一円形ヨガパッド２と第二円形ヨガパッド３ａ、３ｂを合わせると、ヨガパッドのセットになる。利用者Ｈは、任意に、造形ヨガパッド１や第一円形ヨガパッド２及び二つの第二円形ヨガパッド３ａ、３ｂを選択して利用でき、背景技術のヨガパッドＰＡ１と比較すると、利用上、より良い柔軟性や機動性がある。
【００２６】
図５のように、利用者Ｈは、造形ヨガパッド１と第一円形ヨガパッド２を選んで、また、第二円形ヨガパッド３ａ、３ｂを、それらの傍に設置して、ヨガ動作を行う。利用者Ｈは、造形ヨガパッド１と第一円形ヨガパッド２とを隔離して設置し、また、左足ＦＬを造形ヨガパッド１に位置させて、右足ＦＲを第一円形ヨガパッド２の上に位置させ、同時に、左手ＨＬと右手ＨＲを上へ伸ばして、ヨガの動作を行う。その中、利用者Ｈの向かう方向が、造形ヨガパッド１の延伸方向Ｄに平行する。
【００２７】
図６のように、利用者Ｈは、造形ヨガパッド１と第一円形ヨガパッド２とを選んで、第二円形ヨガパッド３ａ、３ｂをそれらの傍に設置して他のヨガ動作を行うこともできる。利用者Ｈは、造形ヨガパッド１と第一円形ヨガパッド２とを隔離して設置し、また、右足ＦＲを造形ヨガパッド１に位置させて、左足ＦＬを第一円形ヨガパッド２に位置させ、同時に、左手ＨＬで、造形ヨガパッド１をタッチしながら、右手ＨＲを上へ伸ばし、これにより、他のヨガ動作が行われる。その中、利用者Ｈの向かう方向が、造形ヨガパッド１の延伸方向Ｄに垂直する。
【００２８】
利用者Ｈは、造形ヨガパッド１に第一円形ヨガパッド２を隣接して設置することができ、図７のようである。利用者Ｈは、造形ヨガパッド１と第一円形ヨガパッド２とを選択し、そして、第二円形ヨガパッド３ａ、３ｂを傍に設置して、その他のヨガ動作を行う。利用者Ｈは、頭部ＨＥを、第一円形ヨガパッド２に接触させて、右手ＨＲと左手ＨＬとを造形ヨガパッド１に接触させることにより、利用者Ｈの体を支え、右足ＦＲと左足ＦＬを上へ伸ばして、その他のヨガ動作を行う。
【００２９】
また、その他の利用者Ｈ２も、利用者Ｈが選んだ造形ヨガパッド１と第一円形ヨガパッド２を利用し、第二円形ヨガパッド３ａ、３ｂを選んで、その他のヨガ動作を行い、図８のようである。利用者Ｈ２は、右手ＨＲ２を、第二円形ヨガパッド３ｂに支えて、右足ＦＲ２の膝を第二円形ヨガパッド３ａに接触させ、同時に、左手ＨＬ２を前方へ伸ばしながら、左足ＦＬ２を後方へ伸ばす。利用者Ｈ２の頭部ＨＥ２は、下方か前方に向かうようになる。
【００３０】
以上のように、背景技術のヨガパッドＰＡ１と比較すると、造形ヨガパッド１の体積がより小さいから、運びや収納に、非常に便利的になる。それから、造形ヨガパッド１に合わせて、第一円形ヨガパッド２と第二円形ヨガパッド３ａ、３ｂとを利用すると、多数の利用者が、利用できるようになり、一つだけの利用者が利用できる、背景技術のヨガパッドＰＡ１と比較すると、造形ヨガパッド１に合わせて、第一円形ヨガパッド２と第二円形ヨガパッド３ａとを利用すると、より良い使用多様性と機動性が実現される。
【００３１】
本考案によれば、造形ヨガパッド１の材質は、ポリ塩化ビニル（Ｐｏｌｙｖｉｎｙｌ  Ｃｈｌｏｒｉｄｅ；ＰＶＣ）や熱可塑性エラストマー（Ｔｈｅｒｍｏｐｌａｓｔｉｃ  Ｅｌａｓｔｏｍｅｒ；ＴＰＥ）或いは、ポリウレタン（Ｐｏｌｙｕｒｅｔｈａｎｅ；ＰＵ）等である。造形ヨガパッド１の厚さは、３ミリメートルや６ミリメートル或いは、１０ミリメートルである。第一円形ヨガパッド２と第二円形ヨガパッド３ａ、３ｂも、同様である。
【００３２】
以上のように、本考案に係る造形ヨガパッドは、第一円弧や第二円弧、第三円弧及び第四円弧によって形成された第一端部輪郭と第二端部輪郭及び腰部輪郭を利用して、背景技術と比較すると、体積や表面積が低減され、そのため、背景技術の運びや収納等の課題を解消できる。また、本考案に係る造形ヨガパッドは、任意に、第一円形ヨガパッドや第二円形ヨガパッドを合わせて利用できるため、体積や表面積が、背景技術のものより小さいだけでなく、各種類のヨガ動作を行うことができる。
【００３３】
本考案は意図された機能および目的を実際に達成することができ、詳細な説明により当業者はそれに応じてそれを実施することができるが、本考案の特徴および精神をより明確に説明できることが期待され、本考案の範囲を制限するのではない。上述の実施形態は、本考案を説明するためにのみ使用され、同等の構造におけるすべての変更は、依然として本考案の範囲から逸脱するものではない。
【符号の説明】
【００３４】
１  造形ヨガパッド
２  第一円形ヨガパッド
３ａ、３ｂ  第二円形ヨガパッド
Ｃ１  第一円弧
Ｃ２  第二円弧
Ｃ３  第三円弧
Ｃ４  第四円弧
Ｄ  延伸方向
ＦＬ、ＦＬ２  左足
ＦＲ、ＦＲ２  右足
Ｈ、Ｈ２  利用者
ＨＥ、ＨＥ２  頭部
ＨＬ、ＨＬ２  左手
ＨＲ、ＨＲ２  右手
Ｌ  パッド体長辺
Ｌ１  第一基準線
Ｌ２  第二基準線
Ｏ１  第一円心
Ｏ２  第二円心
Ｏ３  第三円心
Ｏ４  第四円心
ＰＡ１  ヨガパッド
ＰＡＬ  長辺
ＰＡＷ  短辺
Ｒ１  第一円弧半径
Ｒ２  第二円弧半径
Ｒ３  第三円弧半径
Ｒ４  第四円弧半径
Ｓ１  第一端部
Ｓ２  第二端部
Ｓ３  腰部
Ｔ  パッド体厚さ
【図１】
0003233130.tif 000003
【図２】
0003233130.tif 000004
【図３】
0003233130.tif 000005
【図４】
0003233130.tif 000006
【図５】
0003233130.tif 000007
【図６】
0003233130.tif 000008
【図７】
0003233130.tif 000009
【図８】
0003233130.tif 000010